(57)【要約】本発明は、同期式非適応型再伝送方式が有する限界に対して、同期式非適応型再伝送方式を変形して用いる方法を提供する。また、データスケジューリングメッセージを用いて、新たなデータの伝送のみならず、再伝送を指示する方法を提案する。また、データの受信側から伝送する受信確認信号に対する誤りの判断を以降受信される他のメッセージを通じて行う方法を提案する。また、多重搬送波システムにおける再伝送方法は、データ再伝送に対するスケジューリングが、再伝送前に第１の再伝送スケジューリングとして設定され、アップリンクデータ伝送のためのスケジューリング情報を含めるグラントメッセージを受信するステップ、前記スケジューリング情報によって前記アップリンクデータを伝送するステップ、前記データに対する再伝送が必要な場合と確認され、前記データに対する第２の再伝送スケジューリング情報によって前記データを再伝送するステップ、を含む。
2010502096.tif 000002
【特許請求の範囲】
【請求項１】
多重搬送波システムにおける再伝送方法において、
データ再伝送に対するスケジューリングが、再伝送前に第１の再伝送スケジューリングとして設定され、アップリンクデータ伝送のためのスケジューリング情報を含めるグラントメッセージを受信するステップと、
前記スケジューリング情報によって前記アップリンクデータを伝送するステップと、
前記データに対する再伝送が必要な場合と確認され、前記データに対する第２の再伝送スケジューリング情報によって前記データを再伝送するステップと、を含む、再伝送方法。
【請求項２】
前記第２の再伝送スケジューリング情報は、前記第１の再伝送スケジューリング情報と比較して、再伝送タイミング、再伝送資源ブロック、再伝送資源ブロックの個数、及び再伝送データに対する伝送形式の少なくとも一つが変更される場合、変更された情報を含むことを特徴とする請求項１に記載の再伝送方法。
【請求項３】
多重搬送波システムにおける再伝送方法において、
アップリンクデータ伝送のためのスケジューリング情報を含めるグラントメッセージを受信するステップと、
前記スケジューリング情報によって前記アップリンクデータを伝送するステップと、
前記データに対する再伝送を指示するグラントメッセージを受信するステップと、
前記データを再伝送するステップと、を含む、再伝送方法。
【請求項４】
前記グラントメッセージは、新たなデータ伝送及び再伝送の中の一つを指示する情報を含むことを特徴とする請求項３に記載の再伝送方法。
【請求項５】
前記新たなデータ伝送及び再伝送の中の一つを指示する情報に、新たなデータ伝送を指示する場合に値が変わるトグリング技法が適用されることを特徴とする請求項４に記載の再伝送方法。
【請求項６】
前記新たなデータ伝送及び再伝送の中の一つを指示する情報は、新たなデータ伝送を指示する場合は初期化され、再伝送を指示する場合は、所定の規則に従って変わることを特徴とする請求項４に記載の再伝送方法。
【請求項７】
前記データ再伝送に対するスケジューリングが、再伝送前に第１の再伝送スケジューリングとして設定され、前記再伝送を指示するグラントメッセージは、第２の再伝送スケジューリング情報を含めるとき、前記データを再伝送するステップにおいて、前記第２の再伝送スケジューリング情報によって再伝送を行うことを特徴とする請求項３に記載の再伝送方法。
【請求項８】
多重搬送波システムにおける再伝送方法において、
データを伝送し、前記データに対する受信確認信号を受信するステップと、
前記受信確認信号に対する誤りの有無を、前記受信確認信号以降に受信されるスケジューリングメッセージによって決定するステップと、を含む、再伝送方法。
【請求項９】
前記受信した受信確認信号が肯定の受信確認信号（ＡＣＫ）であっても、前記データをバッファに維持することを特徴とする請求項８に記載の再伝送方法。
【請求項１０】
前記受信確認信号が肯定の受信確認信号（ＡＣＫ）であると判断される場合、前記スケジューリングメッセージが新たなデータ伝送を指示すると、前記受信確認信号は、誤りがないものと決定され、前記スケジューリングメッセージが再伝送を指示すると、前記受信確認信号は、誤りがあるものと決定されることを特徴とする請求項９に記載の再伝送方法。
【請求項１１】
多重搬送波システムにおける再伝送方法において、
データを伝送し、前記データに対する受信確認信号を受信するステップと、
前記受信確認信号受信の後、スケジューリングメッセージを受信するまで、前記データをバッファに維持し、再伝送を待機するステップと、を含む、再伝送方法。
【請求項１２】
前記スケジューリングメッセージが新たなデータ伝送を指示する場合、前記データをバッファから削除し、新たなデータを伝送し、前記スケジューリングメッセージが再伝送を指示する場合、前記データを再伝送することを特徴とする請求項１１に記載の再伝送方法。
【請求項１３】
前記受信確認信号は、肯定の受信確認信号、伝送中断メッセージ、及びグラントメッセージの少なくとも一つであることを特徴とする請求項１２に記載の再伝送方法。
【請求項１４】
前記グラントメッセージは、前記データ再伝送のために割り当てられた資源ブロックがないという情報を含むことを特徴とする請求項１３に記載の再伝送方法。
【請求項１５】
前記受信確認信号は、前記データに対する再伝送タイミングに再伝送データのための資源を割り当てられない場合、前記再伝送を中断させるために送信された受信確認信号であることを特徴とする請求項１１に記載の再伝送方法。
【請求項１６】
既設定された再伝送タイミングに前記データの再伝送を行わず、次の再伝送タイミングに前記データを再伝送することを特徴とする請求項１５に記載の再伝送方法。
【発明の詳細な説明】
【技術分野】
【０００１】
本発明は、多重搬送波システムに関し、より具体的には、多重搬送波システムに用いられる再伝送方法に関する。
【背景技術】
【０００２】
移動通信システムでは、一つのセル／セクタに、各基地局が多数の端末と無線流通経路環境を介してデータを送受信する。
【０００３】
多重搬送波及びそれに類似した形態で運用されるシステムにおいて、基地局は、有線インターネット網からパケットトラフィックを受信し、受信されたパケットトラフィックを定められた通信方式を用いて、各端末に送信する。
【０００４】
この際、基地局が、どのタイミングでどんな周波数領域を用いてどんな端末にデータを伝送するかを決定することがダウンリンクスケジューリングである。
【０００５】
また、所定の通信スキームを用いて、端末から送信されたデーターを受信復調し、有線インターネット網にパケットトラフィックを伝送する。
【０００６】
基地局が、どのタイミングでどんな周波数領域を用いてどんな端末がアップリンクデータを伝送可能にするかを決定することがアップリンクスケジューリングである。一般に、チャンネル状況がよい端末が、より多くの時間、より多くの周波数資源を用いてデータを送受信するようにスケジューリングされる。
【０００７】
図１は、多重搬送システムにおいてスケジューリングに用いられる時間−周波数資源ブロックを説明するための図である。
【０００８】
多重搬送波及びそれに類似した形態で運用されるシステムにおける通信のための資源は、時間と周波数領域に大別される。
【０００９】
この通信資源は、資源ブロックによって定義されるが、これは、任意のＮ個の副搬送波と任意のＭ個のサブフレームを含め、または所定時間単位からなっている。この際、ＮとＭは１であってもよい。
【００１０】
図１における一つの四角形は、一つの資源ブロックを意味し、一つの資源ブロックは、数個の副搬送波を一軸とし、所定時間単位を他の軸としている。
【００１１】
ダウンリンクでの基地局は、所定のスケジューリング規則に従って端末を選択し、前記選択された端末に一つ以上の資源ブロックを割り当て、基地局は、この端末に割り当てられた資源ブロックを用いてデータを伝送する。
【００１２】
アップリンクでは、基地局が端末を選択し、所定のスケジューリング規則に従って選択された端末に一つ以上の資源ブロックを割り当てる。
【００１３】
端末は、基地局から自身に一定の資源ブロックが割り当てられたことを知らせるスケジュール情報を受信し、割り当てられた資源を用いてアップリンクデータを伝送する。
【００１４】
スケジューリング規則に従ってデータを伝送したけれども、データ伝送過程中にデータを失ったり損傷したりすることがある。この場合、誤りを制御する方法としては、ＡＲＱ（Automatic  Repeat  request）方式と、さらに発展した形態のＨＡＲＱ（hybrid  ARQ）方式とが挙げられる。これらの両方法による誤り確認は、フレーム単位で行われる。以下、前記フレーム単位の間に伝送されるデータをフレームと称する。
【００１５】
ＡＲＱ方式は、一つのフレームの伝送後、受信確認信号を伝送されることを待ち、受信側で正確に受ける場合、肯定の受信確認信号（ＡＣＫ）を伝送する。しかしながら、前記フレームに誤りが生じたし場合は、否定の受信確認信号（ＮＡＣＫ；ｎｅｇａｔｉｖｅ−ＡＣＫ）を送り、誤りが生じた受信フレームは、受信バッファからその情報を削除する。送信側において、ＡＣＫを受けたときは、その以降のフレームを伝送するのに対して、ＮＡＣＫを受けたときは、フレームを再伝送するようになる。
【００１６】
ＨＡＲＱ方式は、ＡＲＱ方式とは異なり、受信されたフレームを復調できない場合、受信側から送信側へＮＡＣＫを伝送するが、既に受信したフレームをバッファから削除せず、一定時間の間バッファに保存する。したがって、そのフレームが再伝送されたとき、既受信したフレームと再伝送されたフレームをコンバインして、受信成功率を高める。
【００１７】
最近、基本的なＡＲＱ方式よりは、ＨＡＲＱ方式が広く用いられている。
【００１８】
ＨＡＲＱ方式にも様々な種類がある。再伝送するタイミングにより、同期式ＨＡＲＱ（synchronous  HARQ）方式と非同期式ＨＡＲＱ（asynchronous  HARQ）方式に分けられる。
【００１９】
同期式ＨＡＲＱ方式は、初期伝送が失敗した場合、以降の再伝送が、システムによって決定されたタイミングで行われる方式である。例えば、再伝送が行われるタイミングが、初期伝送失敗の後、４番目の時間単位毎に行われるものと設定されたと仮定すれば、基地局と端末との間に再伝送のためのタイミングが既に約束されているので、さらにこのタイミングについて知らせる必要がない。
【００２０】
すなわち、データ送信側でＮＡＣＫ信号を受けていれば、ＡＣＫ信号を受けるまで、４番目の時間単位毎にフレームを再伝送するようになる。
【００２１】
これに対して、非同期式ＨＡＲＱ方式は、再伝送タイミングが新たにスケジューリングされ、または、追加の信号伝送によって知らせるようになる。すなわち、以前に失敗したフレームに対する再伝送が行われるタイミングは、チャンネル状況等の様々な要因により可変的である。
【００２２】
また、ＨＡＲＱ方式は、再伝送の際に用いられる資源を割り当てるとき、再伝送のチャンネル状況を反映するか否かに応じて、チャンネル適応型とチャンネル非適応型に分けられる。
【００２３】
チャンネル非適応型ＨＡＲＱ方式（または、非適応型ＨＡＲＱ方式、）は、再伝送の際に用いられる資源ブロック、フレームの変調方式や符号化法等を定義したＭＣＳレベル等が、初期伝送の際に定められた通りに実施される方式である。
【００２４】
また、チャンネル適応型ＨＡＲＱ方式（または、適応型ＨＡＲＱ方式、）は、これらがチャンネル状況に応じて可変される方式である。
【００２５】
例えば、チャンネル非適応型ＨＡＲＱ方式の場合、送信側において、初期伝送の際に８個の資源ブロックを用いてデータを伝送しており、以降の再伝送時も、再伝送時のチャンネル状況に関係なく、同様に８個の資源ブロックを用いて再伝送する。
【００２６】
これに対して、チャンネル適応型ＨＡＲＱ方式の場合、初期は８個を用いて伝送されたとしても、以降、チャンネル状況に応じて、８個以上または以下の資源ブロックを用いて再伝送することができる。
【００２７】
このような分類によると、それぞれ４つのＨＡＲＱの組合せが行われ得る。しかしながら、各方式の特性により主に用いられるＨＡＲＱ方式としては、非同期式チャンネル適応型ＨＡＲＱ方式と同期式チャンネル非適応型ＨＡＲＱ方式が挙げられる。
【００２８】
一般に、非同期式チャンネル適応型ＨＡＲＱ方式の場合、再伝送タイミングと用いる資源の量を、チャンネル状況により異ならせることで、再伝送効率を極大化させることができるが、オーバーヘッドが大きくなるという短所があり、一般に、アップリンクのためには考慮されていない。
【００２９】
一方、同期式チャンネル非適応型ＨＡＲＱ方式は、再伝送のためのタイミングと資源割当てがシステム内で約束されているので、このためのオーバーヘッドが殆どないことが長所であるが、変化が激しいチャンネル状況で用いられる場合、再伝送効率が極めて低くなるという短所があった。
【発明の概要】
【発明が解決しようとする課題】
【００３０】
従って、本発明は、関連した従来技術において限界と短所のために発生する一つ以上の問題を効果的に解決する、多重搬送波システムに用いられる再伝送方法に着目している。
【００３１】
上述した従来の技術において、本発明は、多重搬送波システムに用いられる再伝送方法を提供することを目的とする。
【００３２】
また、多重搬送波システムにおいて、アップリンクスケジューリングメッセージを通じて再伝送を指示する方法を提供することを目的とする。
【００３３】
さらに、ＡＣＫ／ＮＡＣＫ信号の受信側において誤りを決定する方法を提供することを目的とする。
【００３４】
本発明の追加の長所と機能は、部分的には以下の説明で言及され、また部分的には以下の実施例に基づく従来の技術における通常の知識を有する者にとって明確になるだろう。また、本発明の実際使用からその長所や機能を理解するようになるだろう。
【課題を解決するための手段】
【００３５】
上記の課題を解決するために、本発明の一実施の形態による多重搬送波システムにおける再伝送方法は、データ再伝送に対するスケジューリングが、再伝送前に第１の再伝送スケジューリングとして設定され、アップリンクデータ伝送のためのスケジューリング情報を含めるグラントメッセージを受信するステップと、前記スケジューリング情報によって前記アップリンクデータを伝送するステップと、前記データに対する再伝送が必要な場合と確認され、前記データに対する第２の再伝送スケジューリング情報によって前記データを再伝送するステップと、を含む。
【００３６】
ここで、前記第２の再伝送スケジューリング情報は、前記第１の再伝送スケジューリング情報と比較して、再伝送タイミング、再伝送資源ブロック、再伝送資源ブロックの個数、及び再伝送データに対する伝送形式の少なくとも一つが変更される場合、変更された情報を含めてもよい。
【００３７】
また、本発明の他の実施の形態による多重搬送波システムにおける再伝送方法は、アップリンクデータ伝送のためのスケジューリング情報を含めるグラントメッセージを受信するステップと、前記スケジューリング情報によって前記アップリンクデータを伝送するステップと、前記データに対する再伝送を指示するグラントメッセージを受信するステップと、前記データを再伝送するステップと、を含む。
【００３８】
前記グラントメッセージは、新たなデータ伝送及び再伝送の中の一つを指示する情報を含めてもよい。
【００３９】
ここで、前記新たなデータ伝送及び再伝送の中の一つを指示する情報に、新たなデータ伝送を指示する場合に値が変わるトグリング技法が適用されてもよい。
【００４０】
また、前記新たなデータ伝送及び再伝送の中の一つを指示する情報は、新たなデータ伝送を指示する場合は初期化され、再伝送を指示する場合は、所定の規則に従って変わる特徴を有してもよい。
【００４１】
前記データ再伝送に対するスケジューリングが、再伝送前に第１の再伝送スケジューリングとして設定され、前記再伝送を指示するグラントメッセージは、第２の再伝送スケジューリング情報を含めるとき、前記データを再伝送するステップにおいて、前記第２の再伝送スケジューリング情報によって再伝送を行うことができる。
【００４２】
また、本発明のまた他の実施の形態による多重搬送波システムにおける再伝送方法は、データを伝送し、前記データに対する受信確認信号を受信するステップと、前記受信確認信号に対する誤りの有無を、前記受信確認信号以降に受信されるスケジューリングメッセージによって決定するステップと、を含む。
【００４３】
前記受信した受信確認信号が肯定の受信確認信号（ＡＣＫ）であっても、前記データをバッファに維持する。
【００４４】
また、前記受信確認信号が肯定の受信確認信号（ＡＣＫ）であると判断される場合、前記スケジューリングメッセージが新たなデータ伝送を指示すると、前記受信確認信号は、誤りがないものと決定され、前記スケジューリングメッセージが再伝送を指示すると、前記受信確認信号は、誤りがあるものと決定されてもよい。
【００４５】
また、本発明のまた他の実施の形態による多重搬送波システムにおける再伝送方法は、データを伝送し、前記データに対する受信確認信号を受信するステップと、前記受信確認信号受信の後、スケジューリングメッセージを受信するまで、前記データをバッファに維持し、再伝送を待機するステップと、を含む。
【００４６】
前記スケジューリングメッセージが新たなデータ伝送を指示する場合、前記データをバッファから削除し、新たなデータを伝送し、前記スケジューリングメッセージが再伝送を指示する場合、前記データを再伝送することができる。
【００４７】
ここで、前記受信確認信号は、肯定の受信確認信号、伝送中断メッセージ、及びグラントメッセージの少なくとも一つであってもよい。
【００４８】
また、前記グラントメッセージは、前記データ再伝送のために割り当てられた資源ブロックがないという情報を含めてもよい。
【００４９】
前記受信確認信号は、前記データに対する再伝送タイミングに再伝送データのための資源を割り当てられない場合、前記再伝送を中断させるために送信された受信確認信号となってもよい。
【００５０】
また、この場合は、既設定された再伝送タイミングに前記データの再伝送を行わず、次の再伝送タイミングに前記データを再伝送することができる。
【００５１】
特に、明細書で指摘した構造と追加の図面、また請求項によって、本発明の目標と他の長所が理解され得る。  
【発明の効果】
【００５２】
本発明による多重搬送波システムにおける再伝送方法を通じて、チャンネル非適応型再伝送方式を基盤とする場合、再伝送資源をスムーズにスケジューリングすることができる。
【００５３】
また、同期式再伝送方式を基盤とする場合、再伝送タイミングをスムーズにスケジューリングすることができる。また、同期式チャンネル非適応型ＨＡＲＱ方式をより効率的に運用することができる。
【００５４】
さらに、ＡＣＫ／ＮＡＣＫ誤りの発生に対処して通信性能を向上させることができる。
【図面の簡単な説明】
【００５５】
【図１】多重搬送波システムにおけるスケジューリングに用いられる時間−周波数資源ブロックを説明するための図である。
【図２】アップリンク伝送において適用される一般の同期式チャンネル非適応型ＨＡＲＱ方式を説明するための図である。
【図３】本発明の一実施例による再伝送方式を説明するための図である。
【図４】本発明の一実施例による再伝送方式を説明するための図である。
【図５】本発明の一実施例によりグラントメッセージを通じて再伝送を指示する場合、グラントメッセージが新たなデータ伝送と再伝送のいずれかを指示するかを知らせる方法の一例を説明するための図である。
【図６】本発明の一実施例によりグラントメッセージを通じて再伝送を指示する場合、グラントメッセージが新たなデータ伝送と再伝送のいずれかを指示するかを知らせる方法の一例を説明するための図である。
【図７】本発明の一実施例によりグラントメッセージを通じて再伝送を要請する場合、グラントメッセージが新たなデータ伝送と再伝送のいずれかを指示するかを知らせる方法の一例を説明するための図である。
【図８】本発明の一実施例により再伝送中断を指示する方法を説明するための図である。
【図９】本発明の一実施例により再伝送を指示する方法を説明するための図である。
【図１０】再伝送要請メッセージを伝送する方法を説明するための図である。
【図１１】再伝送中断要請メッセージと再伝送要請メッセージを一緒に用いる方法を説明するための図である。
【図１２】一般のＮＡＣＫ−ｔｏ−ＡＣＫ誤りを説明するための図である。
【図１３】ＡＣＫ／ＮＡＣＫ誤りを考慮して、本発明の一実施例を適用する方法の一例を説明するための図である。
【図１４】ＡＣＫ／ＮＡＣＫ誤りを考慮して、本発明の一実施例を適用する方法の他の例を説明するための図である。
【図１５】ＡＣＫ／ＮＡＣＫ誤りを考慮して、本発明の一実施例を適用する方法の他の例を説明するための図である。
【図１６】本発明の一実施例により、ＡＣＫ／ＮＡＣＫを通じて再伝送を制御する方法を説明するための図である。
【発明を実施するための形態】
【００５６】
以下、添付した図面に基づき、本発明の実施例についてより詳述する。図面においては、同一の参照番号が同一または類似した部品を示している。
【００５７】
本発明を説明するのに先立って、本発明で用いられる多くの用語は、従来の技術において公知された一般の用語と一致するが、一部の用語は、出願人によって必要に応じて選別され、以下、本発明に対する説明において用いられることを認知しなければならない。したがって、出願人によって定義された用語は、本発明での意味に基づいて理解しなければならない。
【００５８】
いくつかの場合、本発明の概念が曖昧になることを避けるために、公知の構造及び／又は装置は省略されてもよく、各構造及び／又は装置の核心機能を中心として図示したブロック図及び／又は流れ図の形式で示され得る。また、本明細書の全体において同一の構成要素については、同一の図面符号を用いて説明する。
【００５９】
以下の実施例は、本発明の構成要素と特徴が所定の形態で結合されたものである。各構成要素または特徴は、特に拘りがない限り、選択的なものと考えられなければならない。各構成要素または特徴は、他の構成要素や特徴と結合されない形態で実施され得る。また、一部の構成要素及び／又は特徴を結合して、本発明の実施例を構成することも可能である。本発明の実施例において説明される動作の順序は変更されてもよい。ある実施例の一部構成や特徴は、他の実施例に含まれてもよく、または、他の実施例の対応する構成または特徴と交替されてもよい。
【００６０】
以下の本発明の実施例は、基地局と端末との間のデータ送受信関係を中心として説明されている。ここで、基地局は、端末と直接的に通信を行うネットワークの終端ノードとしての意味を有する。
【００６１】
本発明において基地局によって行われるものと説明された特定の動作は、場合に応じて、基地局のアップノードによって行われてもよい。すなわち、基地局を含めた多数のネットワークノードからなるネットワークにおいて、端末との通信のために行われる様々な動作は、基地局または基地局以外の他のネットワークノードによって行われ得ることは自明である。
【００６２】
「基地局」は、固定局、Ｎｏｄｅ−Ｂ、ｅＮｏｄｅ−Ｂ  （ｅＮＢ）、アクセスポイント等の用語と取り替えられる。また、「端末」は、ＵＥ（user  equipment）、ＭＳ（mobile  station）、ＭＳＳ（mobile  subscriber  station）等の用語と取り替えられる。
【００６３】
図２は、アップリンク伝送において適用される一般の同期式チャンネル非適応型ＨＡＲＱ方式を説明するための図である。
【００６４】
アップリンク伝送の場合、端末の初期伝送のために、基地局では、データを伝送する端末がある場合、端末がデータ伝送の際に用いる無線資源とタイミングを知らせるために、伝送を許容するスケジューリングメッセージを伝送することが一般的である。以下、前記伝送許容メッセージをグラントメッセージと称する。
【００６５】
端末は、グラントメッセージを受信して獲得するスケジューリング情報に従ってデータを基地局に伝送する。
【００６６】
また、端末は、伝送したデータに対して、基地局から正常に受信されて肯定の受信確認信号（ＡＣＫ）を受信することもあり、再伝送を要請する否定の受信確認信号（ＮＡＣＫ）を受信することもある。端末が、ＡＣＫを受信すると、伝送したデータをバッファから削除し、新たなデータの伝送を用意することができる。また、端末がＮＡＣＫを受信すると、伝送したデータを再伝送方式によって再伝送することができる。
【００６７】
同期式チャンネル非適応型ＨＡＲＱ方式に従って特定の時間にアップリンク伝送した端末が再伝送をするようになったとき、再伝送を行うタイミングは、システム的に約束されている。また、再伝送の際に用いる資源ブロック及び伝送方式は、以前の伝送と同一の方式が適用される。
【００６８】
したがって、基地局が伝送するグラントメッセージは、初期伝送時にのみ送ればよく、以降の再伝送のためには、再伝送するタイミングや再伝送時に用いる資源ブロック等に対する情報無しに、再伝送か否かのみを知らせるためのＡＣＫ／ＮＡＣＫ信号によって行われ得る。
【００６９】
同期式チャンネル非適応型ＨＡＲＱ方式を適用する場合、基地局と端末との間の追加のスケジューリング情報の伝達無しに、ＮＡＣＫ送受信によって再伝送されてもよい。すなわち、端末は、初期伝送したデータをバッファに維持してから、ＮＡＣＫを受信することにより、再伝送以前に予め決定された再伝送タイミングに初期伝送時の同一の周波数資源及びＭＣＳ等を適用して再伝送を行うことができる。
【００７０】
ところが、上述した同期式チャンネル非適応型ＨＡＲＱ方式の特性を維持する場合、伝送データ各の衝突が発生する問題があった。すなわち、同期式チャンネル非適応型ＨＡＲＱ方式によって再伝送する場合、再伝送のために予め予約された時間に、緊急データや、優先順位が高い制御信号、または連続スケジューリングされるデータを伝送しなけばならない場合が生じ得る。この場合、前記同期式チャンネル非適応型ＨＡＲＱ方式よって再伝送を行うべき端末が、予定されたタイミングに該当資源を用いてデータを再伝送すれば、相違した端末間の伝送データに衝突が生じるようになる。
【００７１】
図３は、本発明の一実施例による再伝送方式を説明するための図である。
【００７２】
本実施例は、予め決定された再伝送スケジューリングによる同期式チャンネル非適応型ＨＡＲＱ方式を適用する場合も、予め決定された再伝送スケジューリングを変更して再伝送するようにする方法を提供する。
【００７３】
以下、説明の便宜を図るために、端末は、４チャンネルＨＡＲＱシステムにおいて、第１のＨＡＲＱプロセスを通じてデータを再伝送するものと約束されており、１番目のデータを伝送した時点を２番目のＴＴＩ（ＴＴＩ＝１）であると定義し、約束された１０番目のＴＴＩ（ＴＴＩ＝９）において同期式チャンネル非適応型ＨＡＲＱ方式による再伝送を行うことができない状況であると仮定する。
【００７４】
ここで、４チャンネルＨＡＲＱシステムは、４つの相違した再伝送タイミングを有するＨＡＲＱプロセスが定義され、各ＨＡＲＱプロセスが同一の周期を有し、再伝送過程を行うように定義されたシステムを意味する。図３の中間において４つのＨＡＲＱが定義される場合を示している。
【００７５】
数字０、１、２、３は、それぞれ第１乃至第４のＨＡＲＱプロセスを用いる端末が再伝送するタイミングを区別するためのインデックスを示す。
【００７６】
例えば、第１のＨＡＲＱプロセスによって再伝送するようにスケジューリングされた端末は、第１のＨＡＲＱプロセスに対するタイミングに、該当データの再伝送を行うようになる。すなわち、端末は、再伝送２番目、６番目、１０番目等のＴＴＩ（各ＴＴＩインデックスは、１、５、９）に再伝送を行うことができる。
【００７７】
基地局は、特定の伝送時間に、アップリンクスケジューリングされた端末へ、特定の周波数帯域を用いてデータを送るとのスケジューリング情報を含めたグラントメッセージを送り、このグラントメッセージを受けた端末は、スケジューリング情報に従ってデータを伝送するようになる（ＴＴＩ＝１）。
【００７８】
グラントメッセージには、該当端末を区別するための端末識別子情報（ＵＥ  ＩＤ）、資源割当て（ＲＢ  ａｌｌｏｃａｔｉｏｎ）情報、伝送可能なデータに対する情報、ペイロード情報、伝送方式、例えば、変調及び符号化方式に対するＭＣＳ（Modulation  and  Coding  Scheme）情報等が含まれ得る。
【００７９】
資源割当て情報は、上述した端末が使用すべき資源ブロックの個数及び位置等に対する情報となり得る。また、伝送可能なデータに対する情報は、端末が該当グラントメッセージ受信によって伝送可能なデータのサイズ等となり得る。また、ペイロードは、一般的に、通信システムにおいてヘッダと反対にメッセージデータを保有するパケットやフレーム部分を意味する。
【００８０】
また、再伝送方式としてＩＲ（Incremental  Redundancy）ＨＡＲＱ方式が一緒に用いられる場合、グラントメッセージは、再伝送のために、前記ＩＲバージョンに対する情報をさらに含めてもよい。ＩＲ  ＨＡＲＱ方式は、ＨＡＲＱ方式の中でも、データ受信性能を改善するために、情報データのチャンネルエンコード後、コードビットを再伝送時毎に異ならせて送る方式を意味する。
【００８１】
ＩＲバージョンに対する情報は、同期式ＨＡＲＱ方式における再伝送回数と関係付けられ、ＩＲバージョンは、送受信側で暗黙のうちに認められるようにすることができる。すなわち、同期式ＨＡＲＱ方式を用いる場合、最初の伝送時に１番目のＩＲバージョンを用い、１番目の再伝送時に２番目のＩＲバージョンを用い、２番目の再伝送時に３番目のＩＲバージョンを用いる方法で、前記ＩＲバージョンを通じて再伝送回数が分かる。
【００８２】
基地局では、ＴＴＩ＝１で端末から伝送されたデータを受信し、再伝送の必要があるか否かを判断する。また、再伝送が必要ない場合、端末にＡＣＫを伝送し、再伝送が必要な場合は、端末にＮＡＣＫを伝送する。
【００８３】
図２を参照すると、基地局がＮＡＣＫを伝送する。同期式チャンネル非適応型ＨＡＲＱ方式を仮定したので、ＮＡＣＫを伝送するとき、基地局が、端末に別途の再伝送スケジューリングに対する情報を伝送しなくても、受信端末側では再伝送を行うことができる。
【００８４】
端末は、基地局からＮＡＣＫを受信すると、第１のＨＡＲＱプロセスに従って、該当タイミングに合わせてＴＴＩ＝１で伝送したデータを再伝送する（ＴＴＩ＝５）。この際、上述したように、前記１番目のＴＴＩの伝送時に用いた資源ブロックと同一の大きさ及び位置に該当する資源ブロックを用いて再伝送する。
【００８５】
再伝送されたデータを受信した基地局は、同様に再伝送されたデータに対して再伝送が必要であるか否かを判断する。図３に示すように、前記再伝送データについてもＮＡＣＫを伝送する。
【００８６】
この際、本実施例により、基地局は、再伝送スケジューリングを変更して適用するようにしてもよい。基地局は、端末にＮＡＣＫを伝送して再伝送を要請するとき、再伝送時は、他の伝送ブロックを用いて再伝送可能にスケジューリングし、変更されたスケジューリング情報を端末に知らせる。
【００８７】
すなわち、基本的に同期式チャンネル非適応型ＨＡＲＱ方式を維持するが、必要に応じて、再伝送タイミングや再伝送の際に用いる資源ブロックまたは伝送方式を変更して適用可能な柔軟性を付加する方法である。
【００８８】
本実施例により再伝送スケジューリングが変更されると、基地局は、その変更された情報を端末に伝送して知らせる。端末は、ＮＡＣＫと共に変更されたスケジューリング情報を受信し、予め決定されて再伝送方式ではなく、新たに受信する変更されたスケジューリングに従って再伝送を行うものである。
【００８９】
本実施例によると、同期式チャンネル非適応型ＨＡＲＱ方式を適用しても、再伝送の際に、データ伝送資源ブロックの大きさ及び位置、再伝送タイミングまたは伝送方式を適応的に変更することができる。
【００９０】
本実施例により、再伝送の際に用いられる資源ブロックを変更して再伝送する例について説明する。
【００９１】
図３において、端末が初期伝送及び１番目の再伝送の際は、Ａ資源ブロックを用いてデータを伝送していれば、２番目の再伝送の際は、Ａ資源ブロックではなく、Ｂ資源ブロックを用いてデータを伝送するようにスケジューリングする。また、端末が、２番目の再伝送の際に、Ｂ資源ブロックを用いてデータを伝送するように、Ｂ資源ブロックに対する情報を前記端末に知らせる。したがって、この場合は、ＮＡＣＫ信号のみを伝送する一般的な同期式チャンネル非適応型ＨＡＲＱ方式とは異なり、変更された資源ブロックに対する情報を伝送可能にする。すると、端末は、Ｂ資源ブロックを通じて再伝送を行う。
【００９２】
変更されたスケジューリング情報を伝送する方法としては、様々な方法が用いられ得る。先ず、変更されたスケジューリング情報を伝送可能なメッセージ形式を新たに定義し、制御チャンネルを介して伝送する方法が使用できる。また、既存のメッセージ形式を拡張または変更する等の方法を通じて、既存のメッセージ形式を用いることもできる。例えば、上述したグラントメッセージを通じて変更されたスケジューリング情報を伝送することができる。
【００９３】
このような本実施例を適用すると、再伝送タイミング及び該当資源ブロックを通じて、他の端末または前記該当端末の他のデータを伝送すべき場合、伝送データ間の衝突が発生する等の問題を避けることができる。
【００９４】
図４は、本発明の一実施例による再伝送方式を説明するための図である。
【００９５】
本実施例は、データの受信側が基地局である場合、データを再伝送するか否かを知らせるために、スケジューリングメッセージ、例えば、グラントメッセージを用いる方法を提供する。
【００９６】
このようにスケジューリングメッセージを用いて、変更された資源ブロックに対する情報を伝送する場合は、前記再伝送のために伝送するスケジューリングメッセージがＮＡＣＫに相応する情報を含めるので、別にＮＡＣＫを伝送しなくてもよいものである。本実施例を適用する場合、図３を通じて説明した実施例も一緒に適用することができることは言うまでもない。
【００９７】
この場合も、説明の便宜を図るために、端末は、４チャンネルＨＡＲＱシステムにおいて、第１のＨＡＲＱプロセスを通じてデータを再伝送するものと約束されており、１番目のデータを伝送した時点を２番目ＴＴＩ（ＴＴＩ＝１）であると定義し、約束された１０番目ＴＴＩ（ＴＴＩ＝９）において同期式チャンネル非適応型ＨＡＲＱ方式による再伝送を行うことができない状況であると仮定する。
【００９８】
本実施例によると、再伝送を要請するために、グラントメッセージを伝送することができる。図４を参照すると、２番目の再伝送を要請するために、ＮＡＣＫの代わりにグラントメッセージを伝送する。図４では、ＡＣＫ／ＮＡＣＫ伝送とグラントメッセージを用いて、受信確認を知らせる方法が混用される場合を示しているが、図４のＡＣＫ／ＮＡＣＫ伝送の代わりにグラントメッセージを伝送し、肯定の受信確認と否定の受信確認を知らせることができる。
【００９９】
また、本実施例でも、図３を通じて説明した実施例を適用して、同期式チャンネル非適応型ＨＡＲＱ方式を用いる場合も、変更されたスケジューリングで再伝送を行うようにすることができる。特に、本実施例では、変更されたスケジューリング情報をグラントメッセージを通じて伝送することにより、簡単に具現することができるものである。
【０１００】
グラントメッセージを通じて、変更されたスケジューリング情報を知らせる場合、グラントメッセージによって伝送可能なＭＣＳ及びその他の伝送方式に対する情報は、初期伝送と同一に送ることができる。勿論、資源ブロックの位置のみならず、使用する資源ブロックの個数及びＭＣＳレベル等まで変更して送ることもできる。ここで、ＭＣＳレベルは、伝送データに対するペイロードサイズ及び使用される資源ブロックの個数に応じて、予め基地局と端末の相互間に定義される。
【０１０１】
このようにグラントメッセージで再伝送を指示するためには、基地局から伝送されるグラントメッセージが、新たなデータ伝送を指示するためのものであるか、あるいは、再伝送を指示するためのものであるかを知らせることが好ましい。
【０１０２】
以下、グラントメッセージが、新たなデータ伝送を指示するのか、あるいは、再伝送を指示するのかを、端末が確認できる方法の例について説明する。
【０１０３】
図５は、本発明の一実施例によりグラントメッセージを通じて再伝送を指示する場合、グラントメッセージが新たなデータ伝送と再伝送のいずれかを指示するかを知らせる方法の一例を説明するための図である。
【０１０４】
本実施例では、伝送タイプ指示情報として１ビット以上の情報ビットを追加して、グラントメッセージが新たなデータ伝送と再伝送のいずれかを指示するかを知らせる方法を提供する。以下、本実施例で、伝送タイプ指示情報は、ＮＩＢ（New  data  Indicator  Bit）と称し、これは、１ビットで構成されるものと仮定する。
【０１０５】
例えば、図５に示すように、新たなデータ伝送を指示するグラントメッセージの場合、ＮＩＢを０にセットしてグラントメッセージを伝送し、再伝送を指示するグラントメッセージの場合、ＮＩＢを１にセットしてグラントメッセージを伝送する。すなわち、グラントメッセージを受信する端末は、ＮＩＢを確認して、受信されたグラントメッセージが、新たなデータ伝送を指示するのか、あるいは、再伝送を指示するのかが分かる。
【０１０６】
一方、新たなデータ伝送を指示するグラントメッセージの受信に誤りが発生し、以降、再伝送を指示するグラントメッセージが、以前データの再伝送を指示するのか、新たなデータ伝送を指示したデータの再伝送を指示するのかを分からない場合が生じ得る。
【０１０７】
例えば、基地局が再伝送を指示するグラントメッセージを送っても、端末は、以前の伝送タイミングのＮＡＣＫを誤ってデコードし、基地局が再伝送を指示するグラントメッセージを送ったのか、あるいは、新たなデータに対する再伝送を指示するグラントメッセージを誤って受信したのかを分からない。
【０１０８】
以下、上述したグラントメッセージ受信の誤りを考慮した再伝送方法の一例について説明する。
【０１０９】
図６は、本発明の一実施例によりグラントメッセージを通じて再伝送を指示する場合、グラントメッセージが新たなデータ伝送と再伝送のいずれかを指示するかを知らせる方法の一例を説明するための図である。
【０１１０】
本実施例では、伝送タイプ指示情報を含めてグラントメッセージが新たなデータ伝送と再伝送のいずれかを指示するかを知らせるが、伝送タイプ指示情報に、一定の場合に値を変化させるトグリング方式を適用する方法を提供する。これにより、グラントメッセージの受信誤りに対して準備することかできる。本実施例でも、伝送タイプ指示情報は、ＮＩＢ（New  data  Indicator  Bit）と称し、これは、１ビットで構成されるものと仮定する。
【０１１１】
例えば、図６に示すように、新たなデータ伝送を指示するグラントメッセージの場合、ＮＩＢ値を変更するように設定することができる。データ１に対する新たなデータ伝送を指示するグラントメッセージとしてＮＩＢ＝１にセットして伝送する。
【０１１２】
また、以降、他のデータ２に対する新たなデータ伝送を指示するグラントメッセージである場合、本実施例により、トグリング方式を適用し、ＮＩＢ＝０にセットして伝送する。
【０１１３】
また、次の再伝送タイミングに再伝送を指示するグラントメッセージを伝送するとき、ＮＩＢ＝０としてその値を変えずに伝送する。これにより、端末は、データ２に対する再伝送であることが分かる。すなわち、この場合、ＮＩＢは、新たなデータ伝送を指示するグラントメッセージを伝送する場合にのみ変更されるものである。
【０１１４】
端末は、グラントメッセージを受信し、受信されたグラントメッセージのＮＩＢが、以前のＨＡＲＱプロセスで受けたＮＩＢと異なると、これは、新たなデータ伝送を指示するグラントメッセージであるので、端末は、バッファを空にし、新たなデータパケットを伝送する。
【０１１５】
また、端末がグラントメッセージを受信し、この際、ＮＩＢが以前のＨＡＲＱプロセスで受けたＮＩＢと同一であれば、これは、再伝送を指示するグラントメッセージであるので、バッファに保存していたデータパケットを再伝送する。
【０１１６】
図６におけるように、端末が新たなデータ伝送を指示するグラントメッセージを逃すこともあり得る。また、たとえ、グラントメッセージを受けて、新たなデータ２を伝送したとしても、チャンネルが激しいフェーディング状態にあれば、基地局では、極めて低いレベルのエネルギーのみを検出することもあり得る。この際、基地局は、再伝送を指示するグラントメッセージを伝送するようになる。
【０１１７】
若し、基地局が図５を通じてグラントメッセージを伝送し、端末がグラントメッセージが逃したら、その端末は、データ２ではなく、データ１に対する再伝送を行うことができる。しかし、本実施例により、ＮＩＢにトグリング方式を適用することにより、このような問題を解決することができる。
【０１１８】
例えば、データ２の伝送を指示する最初のグラントメッセージを受信すると、以降、データ２の再伝送を指示するグラントメッセージのＮＩＢを、以前のグラントメッセージのＮＩＢと比較して、値が同一であることを確認し、バッファに保存されたデータ２に対して再伝送をするようになる。
【０１１９】
また、データ２の伝送を指示する最初のグラントメッセージを端末が受信しなくても、以降、データ２の再伝送を指示するグラントメッセージのＮＩＢを、以前のグラントメッセージのＮＩＢと比較して、値が変更されたことを確認し、端末は保存していたデータ１をバッファから削除し、データ２に対して初期伝送を開始することができる。すなわち、端末の立場では初期伝送となるが、基地局の立場では再伝送データを受けるものである。
【０１２０】
図７は、本発明の一実施例によりグラントメッセージを通じて再伝送を指示する場合、グラントメッセージが新たなデータ伝送と再伝送のいずれかを指示するかを知らせる方法の一例を説明するための図である。
【０１２１】
より詳しくは、本発明により、グラントメッセージを通じて再伝送が指示されると、本実施例は、グラントメッセージによって新たなデータ伝送と再伝送のいずれか一つを指示することを示す。
【０１２２】
本実施例では、シーケンス番号情報として１ビット以上の情報ビットを加え、グラントメッセージが新たなデータ伝送と再伝送のいずれかを指示するかを知らせる方法を提供する。以下、シーケンス番号情報をＳＮ（Sequence  Number）と称する。
【０１２３】
本実施例によりＳＮを加えることにより、端末は、グラントメッセージを受信すると、新たなデータ伝送と再伝送のいずれかを指示するかのみならず、どのデータに対する再伝送を指示するかについても分かる。本実施例によりＳＮ値を設定する方法の一例を説明すると以下の通りである。
【０１２４】
ＳＮは、新たなデータ伝送を指示するか再伝送を指示するかを問わず、グラントメッセージと一緒にまたはグラントメッセージに含まれて伝送される。また、端末から同一のデータパケットに対する再伝送を受ける度に、ＳＮ値を１ずつ増加させ、新たなデータ伝送を指示する場合、初期値として初期化する。
【０１２５】
例えば、ＳＮの初期値が０であるとする。すなわち、新たなデータ伝送を指示するグラントメッセージを送るときは、ＳＮ＝０である。したがって、グラントメッセージと一緒に伝送されたＳＮの値が０ではなければ、これは、再伝送を指示するグラントメッセージであることを端末が確認するようになる。図７を参照すると、端末がグラントメッセージを受信し、そのグラントメッセージのＳＮ＝２であれば、端末は、２（ＳＮ）＊４（ＨＡＲＱ  ｃｈａｎｎｅｌ）＝８、すなわち、８サブフレーム以前に初期伝送したデータに対する再伝送を行うようになる。
【０１２６】
ところが、若し、グラントメッセージを受けた瞬間、ＳＮ値が０ではなく、かつ、現在再伝送中のデータに対して受けるべきＳＮ値でもない場合、すなわち、直前のグラントメッセージを逃した場合であれば、以前に受けたグラントメッセージに対するデータを再伝送するのではなく、バッファを空にし、新たなデータの初期伝送を開始する。
【０１２７】
すなわち、図７におけるように、端末がデータ２の初期伝送を指示するグラントメッセージを逃し、または、チャンネルが激しいフェーディング状態にあり、データを伝送しても、基地局が極めて低いレベルのエネルギーを検出していると、基地局は、再伝送を指示するメッセージをＳＮ＝１と一緒に伝送する。
【０１２８】
この際、端末は、以前のグラントメッセージを逃していなければ、現在再伝送中のデータに対して受けるべきＳＮ値が２ではないことが確認できる。したがって、ＳＮ＝０ではなくて、データ１に対する再伝送を行うのではなく、データ１に対するバッファを空にし、データ２に対する再伝送を行うようになる。
【０１２９】
端末のデータ２に対するその瞬間の伝送は、基地局の立場では、再伝送を要求するものであるが、以前にデータ２の初期伝送を指示するグラントメッセージを端末が逃していると、端末の立場では、データ２に対する初期伝送をするものである。これにより、端末にとって再伝送データパケットに対する混同を避けるようにする効果がある。
【０１３０】
図８は、本発明の一実施例により再伝送中断を指示する方法を説明するための図である。
【０１３１】
本実施例では、再伝送中断を指示する方法を提供する。本実施例でも、図３及び図４の場合と同様に、基本的に同期式チャンネル非適応型ＨＡＲＱ方式を適用し、第１のＨＡＲＱプロセス方式を用いるものと仮定する。
【０１３２】
本実施例により、再伝送中断を指示する方法の一例として、伝送中断メッセージを用いる方法が挙げられる。
【０１３３】
基地局がグラントメッセージを端末に伝送し、データ伝送を指示する。端末は、受信されたグラントメッセージを確認し、アップリンクデータ伝送を行う（ＴＴＩ＝１）。
【０１３４】
基地局は、前記端末が伝送したデータを確認して再伝送が必要であると判断されると、ＮＡＣＫを伝送する。基地局からＮＡＣＫを受信した端末は、同期式チャンネル非適応型ＨＡＲＱ方式により予め設定されたタイミングに再伝送を行う（ＴＴＩ＝５）。
【０１３５】
本実施例によると、基地局は、端末に伝送中断メッセージを伝送して、同期式非適応型ＨＡＲＱ方式による次の再伝送タイミングに端末の再伝送を中断することができる。伝送中断メッセージを受信した端末は、再伝送のために予め設定されたタイミング（ＴＴＩ＝９）に再伝送しないだけでなく、前タイミングに伝送したデータをバッファから削除せずに維持する。伝送中断メッセージを受信した端末は、所定時間の間、再伝送を行わないと共に、データもバッファから削除しないが、この際、所定の時間は、例えば、設定された再伝送周期の２倍となる時間、または新たなデータ伝送または再伝送を指示する情報を受信するまでとすることができる。
【０１３６】
本実施例により再伝送中断を指示する方法の他の例として、上述したグラントメッセージを用いる方法が挙げられる。
【０１３７】
基地局は、グラントメッセージを通じて、割り当てられた資源ブロックがないとの情報を伝送し、同期式チャンネル非適応型ＨＡＲＱ方式を用いるシステムにおいて、端末の再伝送を中断させることができる。例えば、前記グラントメッセージの資源ブロックの個数または大きさに対する情報を伝送するとき、０であるとの情報を含めて伝送することができる。
【０１３８】
基地局が、端末の予約されたタイミングに対する再伝送を中止させた場合は、初期伝送時と同一のＨＡＲＱプロセスを通じて、以降に再伝送を要請することができる。基地局は、前記同一のＨＡＲＱプロセスに相応する次の再伝送タイミングに合わせて資源ブロックを再び割り当て、前記資源ブロック情報を、再伝送を指示するグラントメッセージを通じて伝送することにより、該当データの再伝送を再び行わせることができる。
【０１３９】
または、以降、基地局で再伝送を要請するＮＡＣＫを伝送し、これを受信した端末が、次の再伝送タイミングに合わせて、バッファに保存されていた以前に伝送されたデータを再伝送するようにすることができる（ＴＴＩ＝１３）。
【０１４０】
一方、前記伝送中断メッセージを受信した端末が、前記所定の時間内に基地局からＡＣＫを受信し、または、前記所定の時間内に特に信号を受信しなければ、前記バッファに維持していたデータを削除し、新たなデータの伝送を準備することもできる。
【０１４１】
この際、再伝送のために予約されたタイミングに、前記再伝送のために割り当てる資源ブロックがない場合は、再伝送を暫く停止することにより、より柔軟に再伝送をスケジューリングできるという利点がある。
【０１４２】
図９は、本発明の一実施例により再伝送を指示する方法を説明するための図である。
【０１４３】
本実施例では、再伝送メッセージを通じて再伝送を行う方法を提供する。この場合も、基本的に、同期式非適応型ＨＡＲＱ方式を適用し、第１のＨＡＲＱプロセスを用いて、該当タイミングに再伝送するものと仮定する。
【０１４４】
上述した実施例との差は、基地局から伝送する再伝送を指示するために再伝送メッセージ（ReTx  message）を、再伝送中断を指示するために伝送中断メッセージを用いて、再伝送過程を行うというのである。再伝送メッセージと伝送中断メッセージは、その用語に制限されないことは自明である。
【０１４５】
また、伝送中断メッセージは、図８において説明した伝送中断メッセージと同一の機能を行うためのメッセージとして、すなわち、既に伝送されたデータを再伝送してはいないが、データをバッファに維持することを要請するメッセージである。
【０１４６】
基地局は、新たなデータ伝送のためのグラントメッセージを、選択された端末に伝送する。端末は、グラントメッセージを確認し、アップリンク伝送を行う（ＴＴＩ＝１）。基地局は、端末が伝送したデータを確認し、再伝送が必要な場合、再伝送を要請するための再伝送メッセージを端末に伝送する。
【０１４７】
再伝送メッセージを受信した端末は、既に伝送したデータに対して再伝送を行う。図９における伝送中断メッセージに対する説明は、上述した図８の場合と同一であるので省略する。ただし、図９では、伝送中断メッセージによって中断された再伝送を開始するために、基地局から再伝送を指示するグラントメッセージを伝送する場合を示す。
【０１４８】
すなわち、伝送中断メッセージを受信し、バッファからデータを削除もせず、再伝送を行ってもいない端末は、再伝送を指示するグラントメッセージを受信すると、バッファに維持されたデータを再伝送する（ＴＴＩ＝１３）。
【０１４９】
若し、ここで、再伝送ではなく、新たなデータ伝送を指示するグラントメッセージを受信した場合は、前記バッファを再設定、すなわち、維持されたデータを削除し、新たなデータを保存して、前記新たなデータを基地局に伝送することができる。
【０１５０】
この場合は、再伝送または再伝送中断の二つの状態を有するので、一つのビットを用いて、端末に再伝送するか伝送を中止するかを知らせることができる。言い換えると、再伝送と再伝送再開をそれぞれ再伝送メッセージと伝送中断メッセージとして端末に指示する。
【０１５１】
受信パケットの復調に失敗すると、基地局は、再伝送メッセージを端末に送るが、成功か否かを問わず、一時的に約束されたタイミングに、その端末へのデータ伝送を中止するようにするときは、伝送中断メッセージを送る。
【０１５２】
すなわち、伝送中断メッセージを受信した端末側では、基地局から送られた伝送中断メッセージが受信成功によるものであるか、あるいは、一時的に特定のタイミングに伝送を禁じるものであるかを、伝送中断メッセージを受けた瞬間には分からない。
【０１５３】
端末は、一定時間の間、データをバッファに保存してから、以降、端末が再伝送を指示するグラントメッセージを受信すると、既存にバッファに保存していたデータを再伝送する。また、新たなデータ伝送を指示するグラントメッセージを受信すると、端末は、既存にバッファに保存していたデータの受信に成功したことを認知し、バッファを空にするようになる。
【０１５４】
また、新たなデータ伝送を指示するグラントメッセージが伝送されなくても、一定時間の間、再伝送の命令がなければ、伝送されたデータをバッファから削除することができる。
【０１５５】
上述したように、ＨＡＲＱ方式において、ＩＲ（Incremental  Redundancy）ＨＡＲＱ方式を用いることができる。本実施例により、伝送中断メッセージを用いる同期式非適応型ＨＡＲＱ方式とＩＲバージョン管理方式を結合して用いると、伝送中断メッセージ以降の再伝送グラントメッセージによる再伝送に相応するＩＲバージョンに対する誤解を引き起こすことがある。
【０１５６】
メッセージを受信して再伝送を試みるとき、以前の伝送中断メッセージの受信誤りによって、端末と基地局との間に何番目の再伝送であるかについて、すなわち、何番目のＩＲバージョンを用いて再伝送するかについて誤解が生じ、データ受信が正常に行われないこともあり得る。
【０１５７】
したがって、本実施例では、さらに再伝送を指示するグラントメッセージを伝送する場合、再伝送データについて用いるＩＲバージョンを指定して伝送する方法を提供する。
【０１５８】
この場合、同期式非適応型ＨＡＲＱ方式を仮定し、新たなデータ伝送を指示するグラントメッセージに含まれる一部のフィールド領域のうち、再伝送を指示するグラントメッセージには変更がなく、設定が要求されないフィールドがあり得る。このような設定が要求されないフィールドを用いて前記ＩＲバージョンを伝送することにより、新たなフィールドの追加無しに、ＩＲバージョン情報を伝送することができる。
【０１５９】
例えば、同期式ＨＡＲＱ方式により、伝送データのペイロードサイズの変動は発生しないので、新たなデータ伝送を指示するグラントメッセージのペイロードに対するフィールドを、再伝送グラントメッセージ伝送の際は、ＩＲバージョンを指定する情報のためのフィールドに転換して使用する。したがって、前記伝送中断メッセージの伝送以降、再伝送の場合も、正確なＩＲバージョンを指示することができ、前記ＩＲバージョンに対する誤解を無くすことができる。
【０１６０】
また他の方法で、再伝送の際に、所定の予め設定された値でＩＲバージョン値を再設定する方式を用いることができる。すなわち、初期伝送から以前の再伝送を考慮して、実際的なＩＲバージョン値を設定するのではなく、任意の値を予め設定し、伝送中断メッセージの伝送以降、再伝送を指示するグラントメッセージを伝送する場合は、ＩＲバージョンに対して前記予め設定された値に再設定して、該当端末に伝送するものである。
【０１６１】
この場合も、前記新たなデータ伝送のためのグラントメッセージに含まれる一部のフィールドを用いて、新たなフィールドの定義無しに、再設定されたＩＲバージョンに対する情報を知らせることができる。
【０１６２】
図１０は、再伝送要請メッセージを伝送する方法を説明するための図である。
【０１６３】
本実施例では、同期式非適応型ＨＡＲＱ方式を適用する場合、再伝送タイミングを変更して再伝送する方法について説明する。以下、データを伝送する端末が、再伝送のために第１のＨＡＲＱプロセスを用いるものと仮定する。
【０１６４】
先ず、基地局は、アップリンク伝送すべき端末を選択し、その端末にグラントメッセージを伝送する。端末は、前記グラントメッセージを受信し、該当スケジューリング情報に従ってデータをアップリンク伝送する（ＴＴＩ＝１）。基地局は、端末が伝送したデータを受信し、再伝送が必要な場合、ＡＣＫ／ＮＡＣＫを伝送して、再伝送の有無を知らせることができる。
【０１６５】
本実施例でも、同期式チャンネル非適応型ＨＡＲＱ方式を用いるものと仮定したので、ＮＡＣＫを受信すると、予め約束されたタイミングに前記データを再伝送する（ＴＴＩ＝５）。さらに、再伝送が必要な場合、基地局は、さらにＮＡＣＫを送信して、再伝送を指示する。この場合も、さらに予め約束されたタイミングに再伝送するようになる（ＴＴＩ＝９）。
【０１６６】
しかしながら、本実施例では、再伝送タイミングを変更する方法を提供する。すなわち、前記予め約束されたタイミング（ＴＴＩ＝９）には、初期伝送時に使用した資源ブロックを用いて再伝送することができないので、他のタイミング、例えば、ＴＴＩ＝１０に再伝送するように指示するものである。したがって、基地局は、変更されたタイミングに対する情報を伝送し、そのタイミングに再伝送するようにする。
【０１６７】
同期式ＨＡＲＱ方式を適用するシステムでは、ＡＣＫ／ＮＡＣＫ、ＲｅＴｘ／Ｓｔｏｐメッセージまたはグラントメッセージを受信するタイミングと、各信号に対する応答としてデータを再伝送するタイミングとが、互いに連関しているので、このような方法で再伝送タイミングを変更する方法が可能である。
【０１６８】
例えば、再伝送を指示するグラントメッセージを用いる場合、基地局が、第２のＨＡＲＱプロセスタイミングの再伝送が行われるタイミングに、グラントメッセージを端末に伝送する。ただし、この際、グラントメッセージには、現在伝送される再伝送グラントメッセージが、予め設定された通りに、第２のＨＡＲＱプロセスではなく、第１のＨＡＲＱプロセスに対するデータの再伝送を要請するものであることを指示可能な情報が含まれていなければならない。
【０１６９】
これにより、初期伝送及び１番目の再伝送のためには、第１のＨＡＲＱプロセスを用いて、該当タイミングであるＴＴＩ＝１、５に伝送したが、２番目の再伝送の際は、第２のＨＡＲＱプロセスのタイミングに伝送させることができる。すなわち、変更されたＨＡＲＱプロセス情報が含まれた再伝送グラントメッセージを受信した端末は、前記グラントメッセージに対する応答として第２のＨＡＲＱプロセスに該当するタイミング（ＴＴＩ＝１０）に、前記第１のＨＡＲＱプロセスで伝送したデータを再伝送する。
【０１７０】
これは、予め約束されたタイミングの該当資源ブロックによって、優先順位がより高いものと認定されるデータ伝送が要求される場合等の状況では、約束されたタイミング及び資源ブロックを用いて再伝送することが困難であるとき、効果的に通信が行われるようにすることができる。
【０１７１】
図１１は、再伝送中断要請メッセージと再伝送要請メッセージを一緒に用いる方法を説明するための図である。
【０１７２】
本実施例では、伝送中断メッセージを用いて、図１０で説明した再伝送タイミングを変更する実施例をより効果的に行う方法を提供する。本実施例によると、基地局では、変更しようとする再伝送タイミングが、元のスケジューリングされたタイミングよりも遅い場合は、元の再伝送タイミングに、上述した伝送中断メッセージを伝送する。
【０１７３】
図１１において、基地局でのスケジューリングの際に、ＴＴＩ＝９のタイミングに、該当資源ブロックを元のスケジューリングされていた端末に割り当てられない場合は、ＴＴＩ＝９のタイミングに対する再伝送を留保するために、伝送中断メッセージを伝送する。この際、伝送中断メッセージが再伝送を指示してはいないが、端末がバッファに該当データを削除せずに維持するようにするメッセージであることは、上述と同様である。
【０１７４】
基地局では、再伝送を指示しようとするタイミング、例えば、ＴＴＩ＝１０のタイミングに合わせて、端末の再伝送を指示するグラントメッセージを伝送するが、上述したように、どのデータに対する再伝送を要請するのかを明らかにするために、第１のＨＡＲＱプロセスに伝送したデータに対する再伝送を要請することを指示する情報を含めて伝送する。
【０１７５】
若し、第１のＨＡＲＱプロセスに対する再伝送を要請することを指示する情報が含まれていなければ、ＴＴＩ＝１０のタイミングに、元々設定された通りに、第２のＨＡＲＱプロセスに対する再伝送が要請されるものと認識され、所望の効果を示すことができない。
【０１７６】
このように再伝送タイミングを変える場合、予め設定されたタイミングに対する伝送の有無が明確でなく、端末側では、約束されたタイミングに再伝送を要請する信号が来なければ、前記伝送されたデータをバッファから削除するのか、あるいは、維持しているのかについて誤りが生じ得る。しかしながら、上述のように、伝送中断メッセージを用いることにより、予め約束されたタイミングに、端末が再伝送することを防止し、データ衝突をさらに効果的に防ぐことができる。すなわち、同期式ＨＡＲＱ方式の基盤で、伝送タイミング、すなわち、ＨＡＲＱプロセスを変更するデータの再伝送方法をより効果的に行うことができる。
【０１７７】
これは、上述した伝送中断メッセージのみを用いて再伝送タイミングをスケジューリングする方法と比較しても利点がある。
【０１７８】
すなわち、同期式非適応型ＨＡＲＱの特性を維持するために、第１のＨＡＲＱプロセスによる再伝送タイミングに合わせて再伝送しなければならないので、ＴＴＩ＝９で再伝送しなかった場合、次の再伝送タイミングであるＴＴＩ＝１３まで待たなければならず、伝送が遅延されてしまう。しかしながら、伝送プロセス、すなわち、再伝送タイミングを変更する方法を一緒に用いることにより、ＴＴＩ＝１０のタイミングに再伝送することができ、伝送遅延の問題もある程度解決することができる。
【０１７９】
図１０及び図１１において説明したように、再伝送タイミングを変更しようとする場合、再伝送を指示するとき、どのデータに対する再伝送を指示するのかを知らせることが好ましい。その変更された再伝送情報を伝送するために、すなわち、ＴＴＩ＝１０のタイミングに再伝送すべきデータの元のＨＡＲＱプロセスに対する情報を知らせることができる。
【０１８０】
このようにＨＡＲＱプロセス情報を知らせるために、新たなメッセージフォーマットを定義して用いてもよい。また、再伝送を指示するグラントメッセージを伝送する場合、グラントメッセージに含まれるフィールドのうち、再伝送の際には変更の必要がないフィールドを用いて、ＨＡＲＱプロセスに対する情報を伝送することができる。
【０１８１】
例えば、新たなデータ伝送のためのグラントメッセージと再伝送グラントメッセージにおいて、伝送データのペイロードサイズに対する変動は発生しないので、前記新たなデータ伝送のためのメッセージのペイロードを指示するフィールドを、再伝送グラントメッセージでは、ＨＡＲＱプロセスを指示するフィールドに転換して用いることができる。
【０１８２】
他の方法としては、再伝送を指示するグラントメッセージを用いる場合、グラントメッセージに、変更されたＨＡＲＱプロセス情報を指示するためのフィールドを加えて用いることもできる。再伝送を指示するグラントメッセージによって、再伝送の際にＨＡＲＱプロセスが発生するが、このような変化は、前記再伝送グラントメッセージを端末が正常に受信することを仮定するものである。したがって、再伝送グラントメッセージを端末が正常に受信しなかった場合、動作に誤りが発生する原因となり得る。したがって、ＨＡＲＱプロセス情報を指示するためのフィールドを加える方法を通じて、伝送タイミングに関係なく、ＨＡＲＱプロセス情報を新たなデータ伝送のための資源割当ての時点で指定することもできる。
【０１８３】
上述したＨＡＲＱ方式で再伝送を行うとき、受信側でのＡＣＫ／ＮＡＣＫ受信において、誤りが発生し得る。この際、発生し得る誤りは、二つに大別される。
【０１８４】
第一は、ＡＣＫ−ｔｏ−ＮＡＣＫ誤りである。これは、送信側、例えば、端末が伝送したデータに対して、受信側、例えば、基地局がＡＣＫを送信したにもかかわらず、チャンネル状況及びその他の要因によって、端末がＡＣＫをＮＡＣＫにデコードする誤りを意味する。
【０１８５】
第二は、ＮＡＣＫ−ｔｏ−ＡＣＫ誤りである。これは、送信側、例えば、端末が伝送したデータに対して、基地局がＮＡＣＫを送信して再伝送を要求したにもかかわらず、チャンネル状況及びその他の要因によって、端末がＮＡＣＫをＡＣＫにデコードする誤りを意味する。
【０１８６】
以下では、ＮＡＣＫ−ｔｏ−ＡＣＫ誤りが生じた場合に、上述した実施例を適用する動作方式について説明する。
【０１８７】
図１２は、一般のＮＡＣＫ−ｔｏ−ＡＣＫ誤りを説明するための図である。
【０１８８】
データ受信後、ＮＡＣＫメッセージを伝送した基地局は、端末からの再伝送を待つようになる。ところが、ＮＡＣＫ−ｔｏ−ＡＣＫ誤りが発生していれば、端末は、これ以上再伝送をせず、再伝送のために、バッファに保存しておいたデータを全て空にするようになる。
【０１８９】
すると、既存のＡＣＫ／ＮＡＣＫを用いたＨＡＲＱ方式では、基地局はデータを待ち、端末はこれ以上データを伝送しないようになるので、特定時間の周波数領域が最大の再伝送回数だけ浪費されてしまう結果をもたらす。
【０１９０】
ＨＡＲＱ方式において、エネルギー検出を通じて、ＡＣＫ／ＮＡＣＫに誤りが生じたか否かを判断することができる。特に、ＮＡＣＫ−ｔｏ−ＡＣＫ誤りが発生したか否かを判断することができる。言い換えると、送信側、例えば、端末がデータを伝送せず、データを伝送したにもかかわらず、誤りが生じたかをエネルギー検出を通じて、受信側、例えば、基地局が判断することができる。
【０１９１】
図１３は、ＡＣＫ／ＮＡＣＫ誤りを考慮して、本発明の一実施例を適用する方法の一例を説明するための図である。
【０１９２】
本実施例では、基地局においてＮＡＣＫ−ｔｏ−ＡＣＫ誤りが発生したものと判断する場合は、その端末の新たなデータまたは新たな端末に対するデータを伝送するように、新たにスケジューリングする方法を提供する。
【０１９３】
基地局が、エネルギー検出を通じて、ＮＡＣＫ−ｔｏ−ＡＣＫ誤りが発生したことを判断したとき、端末が実際にデータを伝送していないこともあるが、端末のチャンネルが激しいフェーディング状態に陥ってデータを送らなかったように見えることもあり得る。
【０１９４】
後者の場合であれば、その端末に再伝送を要求するよりは、他の周波数帯域をスケジューリングすることがさらに有利であるかも知れない。したがって、ＮＡＣＫ−ｔｏ−ＡＣＫ誤りが発生したとき、基地局が再伝送を要求するものではなく、既存のデータ再伝送プロセスを終了し、以降、データを伝送する端末を新たにスケジューリングする。この際、既存のデータに対する再伝送は、上位階層で行われる。
【０１９５】
図１３を参照すると、先ず、端末１が、基地局からグラントメッセージを受信し、アップリンクデータを伝送する。基地局は、端末が伝送したデータに対して再伝送を指示するために、端末にＮＡＣＫを伝送する。
【０１９６】
しかしながら、端末は、基地局からＮＡＣＫを伝送したにもかかわらず、これをＡＣＫとして受信する。すなわち、ＮＡＣＫ−ｔｏ−ＡＣＫ誤りが発生する。すると、端末は、再伝送をしないようになり、基地局では、再伝送データが受信されるべき時点で受信信号が弱いことから、ＮＡＣＫ−ｔｏ−ＡＣＫ誤りが発生したことが分かる。
【０１９７】
また、ＮＡＣＫ−ｔｏ−ＡＣＫ誤りが発生しなくても、すなわち、端末１がデータを再伝送したとしても、基地局は、これをＮＡＣＫ−ｔｏ−ＡＣＫ誤りが発生したものと判断することもあり得る。すなわち、上述したように、端末１が激しいフェーディング状態に陥って、端末１が再伝送したデータを、基地局で、受信せずまたはデコードしないこととなる。
【０１９８】
基地局で、ＮＡＣＫ−ｔｏ−ＡＣＫ誤りが発生したものと判断した場合、本実施例により、同期式ＨＡＲＱ方式で予めスケジューリングされていた再伝送資源を、新たなデータや他の端末に対するスケジューリング資源として用いる。
【０１９９】
すなわち、図１３に示すように、端末１の再伝送のために予約されていた資源を、端末２のデータ伝送のために新たに割り当てる。
【０２００】
端末２に、その資源を指示するグラントメッセージを伝送すると、端末２は、これを受信してアップリンクデータを送信する。
【０２０１】
上述した方法で、ＮＡＣＫ−ｔｏ−ＡＣＫ誤りの発生の有無を判断するとしても、既存のＡＣＫ／ＮＡＣＫの動作方式では、資源が浪費されることを解決する方法はない。なぜならば、ＡＣＫを受けた途端に、端末は自身の再伝送バッファを空にしてしまうので、基地局がさらにＮＡＣＫを送って再伝送を要求しても、再伝送するデータがないからである。
【０２０２】
図１４は、ＡＣＫ／ＮＡＣＫ誤りを考慮して、本発明の一実施例を適用する方法の他の例を説明するための図である。
【０２０３】
本実施例では、データの送信側で、受信側からの肯定の受信確認信号ＡＣＫを受信して再伝送しなくても、伝送したデータをバッファから削除せず、一定時間の間はバッファに維持する方法を提供する。
【０２０４】
これは、上述した伝送中断メッセージの機能に類似したものと見られる。すなわち、上述したように、伝送中断メッセージとしてＡＣＫを伝送する実施例として見られるのである。ＡＣＫを受信する端末は、伝送中断メッセージを受信したときと同様に、データを再伝送してはいないが、一定時間の間はバッファに既に伝送されたデータを維持する。
【０２０５】
例えば、アップリンク伝送において、端末が基地局からＡＣＫを受信した後、無条件に自身のバッファを空にしてしまうのではなく、一定時間の間、再伝送データをバッファにそのまま保存することである。そうして、基地局からさらにＮＡＣＫを受信すると、直ちにバッファに維持されているデータを再伝送することにより、資源の浪費を防ぐことができる。この際、データを保存する時間は、最小限、以降の再伝送が行われるまでの時間である。
【０２０６】
図１５は、ＡＣＫ／ＮＡＣＫ誤りを考慮して、本発明の一実施例を適用する方法の他の例を説明するための図である。
【０２０７】
本実施例では、データの送信側で、受信側からの肯定の受信確認信号（ＡＣＫ）を受信して再伝送してはいなくても、伝送したデータをバッファから削除せず、一定時間の間はバッファに維持するが、受信側で、ＡＣＫ／ＮＡＣＫ誤りが発生したと判断した場合、再伝送を指示するために、スケジューリングメッセージを伝送する方法を提供する。
【０２０８】
本実施例によると、データ送信側が、この場合は、ＡＣＫを受信しても、以降新たな伝送を指示し、または、再伝送を指示するスケジューリングメッセージを受信するまでは、データをバッファに維持する。すなわち、スケジューリングメッセージを受信するまでは、再伝送データをバッファに保存し、新たなデータ伝送を指示するスケジューリングメッセージを受信すると直ぐバッファを空にする。
【０２０９】
アップリンク伝送において、ＮＡＣＫ−ｔｏ−ＡＣＫ誤りが発生し、基地局で、エネルギー検出を通じて誤り発生を確認した後、図１３において説明したように、新たにスケジューリングするようになると、既存のデータは、受信に失敗したまま、他の端末または他のデータを伝送するようになり、ＦＥＲが高くなる問題が生じる。したがって、本実施例の場合、ＮＡＣＫ−ｔｏ−ＡＣＫ誤りの発生を検出してから、基地局が、その端末に他の周波数領域で再伝送データを伝送可能に、スケジューリングメッセージを伝送する。
【０２１０】
本実施例はまた、端末側で、ＡＣＫ／ＮＡＣＫ誤り発生の有無を決定する方法としても用いることができる。すなわち、端末がデータを伝送し、前記データに対するＡＣＫ／ＮＡＣＫを受信し、ＡＣＫ／ＮＡＣＫに対する誤りの有無を、ＡＣＫ／ＮＡＣＫの以降に受信されるスケジューリングメッセージを通じて決定することである。
【０２１１】
端末は、ＡＣＫ／ＮＡＣＫを受信し、受信時点の再伝送の有無を制御することはできるが、端末では、ＡＣＫ／ＮＡＣＫ受信のみでは、データ送信が成功したか否かを最終的に決定せず、以降に受信されるスケジューリングメッセージに基づき、ＡＣＫ／ＮＡＣＫに誤りがあるか、または、データをバッファから削除するかあるいは維持するかを決定することである。
【０２１２】
例えば、端末が、ＡＣＫを受信したと判断すると、一旦、その再伝送の時点では、再伝送をしないが、データをバッファに維持している。
【０２１３】
また、以降、新たなデータ伝送を指示するグラントメッセージを受信すると、そのデータをバッファから削除し、新たなデータ伝送を行う。すなわち、この場合は、端末が受信したＡＣＫは、誤りがないものと決定されることである。しかしながら、再伝送を指示するグラントメッセージを受信すると、バッファに維持していたデータを再伝送する。すなわち、この場合は、端末が受信したＡＣＫは、誤りがあるものと決定されることである。
【０２１４】
一方、再伝送を指示するために、スケジューリングメッセージ、例えば、グラントメッセージを送信する場合、以上の図４において説明した方法と同一または類似するように適用することができる。グラントメッセージを通じて再伝送するようになるので、使用する資源ブロックの位置のみが変わり、ＭＣＳレベル及びその他のものは、初期伝送と同一に送ることもできる。または、資源ブロックの位置はもとより、使用する資源ブロックの個数及びＭＣＳレベル等まで変更して送るようになる。ここで、ＭＣＳは、上述したように伝送データのペイロードサイズ及び使用される資源ブロックの個数によって、予め基地局と端末との相互間に定義されていてもよい。
【０２１５】
また、グラントメッセージが新たなデータ伝送を指示するのか、再伝送を指示するのかを区分するために、以上の図５乃至図７を通じて説明した方法と同一または類似するように適用することができる。
【０２１６】
この場合、グラントメッセージがＡＣＫ／ＮＡＣＫ情報を含むようになるので、別にＡＣＫ／ＮＡＣＫ情報を伝送しなくてもよい。すなわち、データ受信側、例えば、基地局では、ＡＣＫ／ＮＡＣＫとグラントメッセージを全て送ることもできるが、グラントメッセージを送るときは、ＡＣＫ／ＮＡＣＫを伝送しなくてもよい。前者の場合、端末が再伝送を指示するグラントメッセージを受信すると、そのとき受信されるＡＣＫ／ＮＡＣＫは無視し、基地局が指示する資源領域を通じて再伝送するようになる。
【０２１７】
図１６は、本発明の一実施例により、ＡＣＫ／ＮＡＣＫを通じて再伝送を制御する方法を説明するための図である。
【０２１８】
本実施例では、端末がＡＣＫを受信しても、伝送したデータを一定時間の間バッファに保存するようにし、基地局での資源スケジューリングに自律性を付与する方法を提供する。すなわち、本実施例によると、端末がＡＣＫを受信した後も、伝送したデータを一定時間の間バッファに保存するようにする。
【０２１９】
したがって、基地局がデータの受信に失敗しても、任意にＡＣＫを伝送し、特定の時間に特定の端末に対する再伝送を一時的に中断させることができるようになる。特に、若し、再伝送タイミングに該当再伝送端末に割り当てるアップリンク資源がない場合、より柔軟かつ効率的にスケジューリングが可能である。
【０２２０】
ＡＣＫを受信した端末は、該当時間にデータを再伝送してはいないが、基地局からグラントメッセージを受信するまでは、データをバッファから削除せずに維持する。したがって、基地局は、所望の時間に再伝送を指示するグラントメッセージを端末に伝送することにより、該当プロセスの再伝送を再起させることができるようになる。
【０２２１】
上述した再伝送中断は、再伝送を指示するグラントメッセージを通じて行うこともできる。例えば、再伝送を指示するグラントメッセージの割当て資源ブロックの大きさを０にセットし、該当端末のアップリンク再伝送を一時的に中止させることができる。この場合も、基地局は、所望の時間に再伝送を指示するグラントメッセージを端末に伝送することにより、該当プロセスの再伝送を再起させることができるのである。
【０２２２】
本発明は、同期システムの１ｘＥＶ−ＤＯの場合は、ダウンリンクで用いられ、オーバヘッドが少ないという長所によって、現在、３ＧＰＰ  ＬＴＥ（Long  Term  Evolution）において、アップリンクでも用いられ得る。
【０２２３】
本発明による実施例は、様々な手段、例えば、ハードウェア、ファームウェア、ソフトウェア、またはこれらの結合等によって具現され得る。
【０２２４】
ハードウェアによる具現の場合、本発明は、一つまたはそれ以上のＡＳＩＣｓ（application  specific  integrated  circuit）、ＤＳＰｓ（digital  signal  processors）、ＤＳＰＤｓ（digital  signal  processing  devices）、ＰＬＤｓ（programmable  logic  devices）、ＦＰＧＡｓ（field  programmable  gate  arrays）、プロセッサ、コントローラ、マイクロコントローラ、マイクロプロセッサ等によって具現され得る。
【０２２５】
ファームウェアやソフトウェアによる具現の場合、  本発明は、上述した機能または動作を行うモジュール、手続き、関数等の形態に具現され得る。ソフトウェアコードは、メモリユニットに保存され、プロセッサによって駆動され得る。前記メモリユニットは、前記プロセッサの内部または外部に位置し、既に公知された様々な手段によって、前記プロセッサとデータを交換することができる。
【０２２６】
本発明は、本発明の技術的思想及び必須的特長を外れない範囲内で、他の特定の形態に具体化され得ることは、当業者に自明である。したがって、上述した詳細な説明は、全ての面で制限的に解釈されてはならず、例示的なものと考慮されなければならない。
【０２２７】
様々な修正及び変更が、本発明の精神または範囲を外れない限り、本発明に含まれることは、当業者にとって自明なことである。本発明の範囲は、添付の請求項の合理的解釈によって決定されなければならず、本発明の等価的範囲内での全ての変更は、本発明の範囲に含まれる。
【産業上の利用可能性】
【０２２８】
本発明による多重搬送波システムにおける再伝送方法を通じて、チャンネル非適応型再伝送方式を基盤とする場合、再伝送資源をスムーズにスケジューリングすることができる。
【０２２９】
また、同期式再伝送方式を基盤とする場合、再伝送タイミングをスムーズにスケジューリングすることができる。また、同期式チャンネル非適応型ＨＡＲＱ方式をより効率的に運用することができる。
【０２３０】
さらに、ＡＣＫ／ＮＡＣＫ誤りの発生に対処して通信性能を向上させることができる。
【図１】
2010502096.tif 000003
【図２】
2010502096.tif 000004
【図３】
2010502096.tif 000005
【図４】
2010502096.tif 000006
【図５】
2010502096.tif 000007
【図６】
2010502096.tif 000008
【図７】
2010502096.tif 000009
【図８】
2010502096.tif 000010
【図９】
2010502096.tif 000011
【図１０】
2010502096.tif 000012
【図１１】
2010502096.tif 000013
【図１２】
2010502096.tif 000014
【図１３】
2010502096.tif 000015
【図１４】
2010502096.tif 000016
【図１５】
2010502096.tif 000017
【図１６】
2010502096.tif 000018
【国際調査報告】
2010502096.tif 000019
2010502096.tif 000020
2010502096.tif 000021